【手続補正書】
【提出日】平成18年10月12日(2006.10.12)
【手続補正１】
【補正対象書類名】明細書
【補正対象項目名】発明の名称
【補正方法】変更
【補正の内容】
【発明の名称】画像形成装置及びカートリッジ個体識別方法
【手続補正２】
【補正対象書類名】明細書
【補正対象項目名】特許請求の範囲
【補正方法】変更
【補正の内容】
【特許請求の範囲】
【請求項１】  記憶手段を有するカートリッジが装置本体に着脱可能とされる画像形成装置において、
前記記憶手段には、カートリッジの製造日及びその日に製造されたカートリッジの通し番号が記憶され、
前記装置本体は、前記記憶手段に記憶されたカートリッジの製造日及びその日に製造されたカートリッジの通し番号を読み取る情報読み取り手段と、読み取った情報からカートリッジの個体識別を行う識別手段と、を有することを特徴とする画像形成装置。
【請求項２】  記憶手段を有するカートリッジが装置本体に着脱可能とされる画像形成装置において、
前記記憶手段には、カートリッジの製造日、カートリッジが製造されたラインを特定する情報、及びその日そのラインで製造されたカートリッジの通し番号が記憶され、
前記装置本体は、前記記憶手段に記憶されたカートリッジの製造日、カートリッジが製造されたラインを特定する情報及びその日そのラインで製造されたカートリッジの通し番号を読み取る情報読み取り手段と、読み取った情報からカートリッジの個体識別を行う識別手段と、を有することを特徴とする画像形成装置。
【請求項３】  前記装置本体は更に、前記記憶手段に情報を書き込む情報書き込み手段を有し、前記情報書き込み手段は、前記識別手段が前記装置本体に装着されたカートリッジの個体識別を行った上で、前記装置本体に蓄積した情報を前記記憶手段に書き込むことを特徴とする請求項１又は２の画像形成装置。
【請求項４】  識別情報を記憶した記憶手段を有し、画像形成装置本体に着脱可能なカートリッジを、前記装置本体で個体識別するカートリッジ個体識別方法において、
前記記憶手段に記憶されたカートリッジの製造日及びその日に製造されたカートリッジの通し番号から、前記装置本体に装着されたカートリッジを個体識別することを特徴とするカートリッジ個体識別方法。
【請求項５】  識別情報を記憶した記憶手段を有し、画像形成装置本体に着脱可能なカートリッジを、前記装置本体で個体識別するカートリッジ個体識別方法において、
前記記憶手段に記憶されたカートリッジの製造日、カートリッジが製造されたラインを特定する情報及びその日そのラインで製造されたカートリッジの通し番号から、前記装置本体に装着されたカートリッジを個体識別することを特徴とするカートリッジ個体識別方法。
【手続補正３】
【補正対象書類名】明細書
【補正対象項目名】０００１
【補正方法】変更
【補正の内容】
【０００１】
【発明の属する技術分野】
本発明は、一般には、電子写真方式を用いた画像形成装置に関し、特に、この画像形成装置本体に装着可能なカートリッジ、即ち、プロセスカートリッジ、カートリッジ化された現像装置などのカートリッジに搭載されたメモリを用いてカートリッジの個体識別を行う方法、及び画像形成装置に関するものである。
【手続補正４】
【補正対象書類名】明細書
【補正対象項目名】００１６
【補正方法】変更
【補正の内容】
【００１６】
従って、本発明の目的は、画像形成装置本体に着脱可能なカートリッジに設けた記憶手段にカートリッジ個体識別用の情報を記憶させることによって画像形成装置本体でカートリッジの個体識別を行うことを可能とし、且つ、斯かる記憶手段の少ない記憶容量を有効に使用して様々な機能に供することができる画像形成装置及びカートリッジ個体識別方法を提供することである。
【手続補正５】
【補正対象書類名】明細書
【補正対象項目名】００１７
【補正方法】変更
【補正の内容】
【００１７】
本発明の他の目的は、画像形成装置本体でカートリッジの個体識別を行うことができ、且つ、カートリッジに設けた記憶手段の少ない記憶容量を有効に利用し、画像形成装置本体に蓄積させた所定のデータを確実に所定のカートリッジの記憶手段に記憶させることができる画像形成装置及びカートリッジ個体識別方法を提供することである。
【手続補正６】
【補正対象書類名】明細書
【補正対象項目名】００１８
【補正方法】変更
【補正の内容】
【００１８】
又、本発明の他の目的は、画像形成装置本体でカートリッジの個体識別を行うことができ、且つ、カートリッジに設けた記憶手段の少ない記憶容量を有効に利用し、画像形成装置本体に蓄積させた所定のデータを一定のデータ単位で確実に所定のカートリッジの記憶手段に書き込むことができ、該記憶手段への書き込み回数を減らすことができる画像形成装置及びカートリッジ個体識別方法を提供することである。
【手続補正７】
【補正対象書類名】明細書
【補正対象項目名】００１９
【補正方法】変更
【補正の内容】
【００１９】
更に、本発明の他の目的は、画像形成装置本体でカートリッジの個体識別を行うことができ、且つ、カートリッジに設けた記憶手段の少ない記憶容量を有効に利用し、画像形成装置本体に蓄積させた所定のデータを一定のデータ単位で確実に所定のカートリッジの記憶手段に書き込むことができ、該記憶手段に書き込むデータの容量を減らすことができる画像形成装置及びカートリッジ個体識別方法を提供することである。
【手続補正８】
【補正対象書類名】明細書
【補正対象項目名】００２０
【補正方法】変更
【補正の内容】
【００２０】
【課題を解決するための手段】
上記目的は本発明に係る画像形成装置及びカートリッジ個体識別方法にて達成される。要約すると、本発明の第１の態様によれば、記憶手段を有するカートリッジが装置本体に着脱可能とされる画像形成装置において、前記記憶手段には、カートリッジの製造日及びその日に製造されたカートリッジの通し番号が記憶され、前記装置本体は、前記記憶手段に記憶されたカートリッジの製造日及びその日に製造されたカートリッジの通し番号を読み取る情報読み取り手段と、読み取った情報からカートリッジの個体識別を行う識別手段と、を有することを特徴とする画像形成装置が提供される。
【手続補正９】
【補正対象書類名】明細書
【補正対象項目名】００２３
【補正方法】削除
【補正の内容】
【手続補正１０】
【補正対象書類名】明細書
【補正対象項目名】００２４
【補正方法】削除
【補正の内容】
【手続補正１１】
【補正対象書類名】明細書
【補正対象項目名】００２５
【補正方法】変更
【補正の内容】
【００２５】
本発明の第３の態様によると、識別情報を記憶した記憶手段を有し、画像形成装置本体に着脱可能なカートリッジを、前記装置本体で個体識別するカートリッジ個体識別方法において、前記記憶手段に記憶されたカートリッジの製造日及びその日に製造されたカートリッジの通し番号から、前記装置本体に装着されたカートリッジを個体識別することを特徴とするカートリッジ個体識別方法が提供される。
【手続補正１２】
【補正対象書類名】明細書
【補正対象項目名】００２６
【補正方法】変更
【補正の内容】
【００２６】
本発明の第４の態様によると、識別情報を記憶した記憶手段を有し、画像形成装置本体に着脱可能なカートリッジを、前記装置本体で個体識別するカートリッジ個体識別方法において、前記記憶手段に記憶されたカートリッジの製造日、カートリッジが製造されたラインを特定する情報及びその日そのラインで製造されたカートリッジの通し番号から、前記装置本体に装着されたカートリッジを個体識別することを特徴とするカートリッジ個体識別方法が提供される。
【手続補正１３】
【補正対象書類名】明細書
【補正対象項目名】００２７
【補正方法】削除
【補正の内容】
【手続補正１４】
【補正対象書類名】明細書
【補正対象項目名】００２８
【補正方法】削除
【補正の内容】
【手続補正１５】
【補正対象書類名】明細書
【補正対象項目名】００２９
【補正方法】変更
【補正の内容】
【００２９】
【発明の実施の形態】
以下、本発明に係る画像形成装置及びカートリッジ個体識別方法を図面に則して更に詳しく説明する。
【手続補正１６】
【補正対象書類名】明細書
【補正対象項目名】００７６
【補正方法】変更
【補正の内容】
【００７６】
つまり、図５に示すように、現像手段として現像ローラ５ａ、現像ブレード５ｃなどを備えた現像室５Ａと、現像収納部である現像剤収納容器４とを枠体１１、１２により一体的にユニット化し、画像形成装置本体１００に対して着脱可能とした現像カートリッジＣ、又、図６に示すように、感光体ドラム１と帯電手段２、クリーニング手段７ａ、廃現像剤容器７ｂを一体的にユニット化し、画像形成装置本体１００に対して着脱可能とした感光体ドラムカートリッジＤなどのように、画像形成装置に対し着脱でき、交換可能な構成を有するカートリッジにそれぞれメモリ３１を設けて、上記各実施例にて説明した、本発明に従うカートリッジ識別情報を記憶させることによって、同様の作用効果を達成し得る。
【手続補正１７】
【補正対象書類名】明細書
【補正対象項目名】００７８
【補正方法】変更
【補正の内容】
【００７８】
【発明の効果】
以上説明したように、本発明の画像形成装置及びカートリッジ個体識別方法は、記憶手段を有するカートリッジを画像形成装置本体に着脱可能とし、
（Ａ）記憶手段には、カートリッジの製造日及びその日に製造されたカートリッジの通し番号が記憶され、装置本体は、記憶手段に記憶されたカートリッジの製造日及びその日に製造されたカートリッジの通し番号を読み取る情報読み取り手段と、読み取った情報からカートリッジの個体識別を行う識別手段と、を有する構成とするか、
（Ｂ）記憶手段には、カートリッジの製造日、カートリッジが製造されたラインを特定する情報、及びその日そのラインで製造されたカートリッジの通し番号が記憶され、装置本体は、記憶手段に記憶されたカートリッジの製造日、カートリッジが製造されたラインを特定する情報及びその日そのラインで製造されたカートリッジの通し番号を読み取る情報読み取り手段と、読み取った情報からカートリッジの個体識別を行う識別手段と、を有する構成とされるので、
画像形成装置本体でカートリッジの個体識別を行うことが可能であり、且つ、斯かる記憶手段の少ない記憶容量を有効に使用して様々な機能に供することができる。